(57)【要約】【課題】自動車内の組合わせ部や、家具の隙間の塵埃を除去するブラシのついた電気掃除機の隙間用吸込具を提供する。【解決手段】電気掃除機の隙間用吸込具において、硬質材からなる方形状または円形状の台の周囲に周壁を立設し、この周壁の前部から後部へ植毛台部を設け、かつ、この左右の周壁との間に通気穴があり、前記植毛台部の下方に通気路があり、前記植毛台部前部中央から、後部へ硬質ブラシを設け、その左右両側に軟質ブラシを設け、前記周壁の上部に弾性部を設けて、前記硬質および軟質ブラシが弾性部よりも突出するように設け、周壁の後部または台の裏側に継ぎ排気筒を設けたことを特徴とする。【選択図】　図１
2004081776.tif 000002
【特許請求の範囲】
【請求項１】
硬質材からなる円形状または方形状の台と、その表側周縁に若干上方へ立設した周壁とがあり、その周壁の内側における前部より後部へ植毛台部を設けて固着してあり、その台と植毛台部との間が通気路となっており、その植毛台部と左右の周壁との間に通気穴があり、前記全周壁の下部に弾性部を固着してあり、前記周壁の後部、または下面に円筒状の継ぎ排気筒があり、前記植毛台部の前部中央または中央付近から後部まで幅の狭い硬質ブラシを、その両側に幅の広い軟質ブラシを設けてあり、かつこれらの硬質ブラシおよび軟質ブラシは前記弾性部より若干突出していることを特徴とする電気掃除機の隙間用吸込具。
【請求項２】
前記周壁と植毛台部との固着は、接着剤により接着したことをを特徴とする請求項１に記載の電気掃除機の隙間用吸込具。
【請求項３】
前記硬質ブラシが中央から若干左側に設けてあることを特徴とする請求項１に記載の電気掃除機の隙間用吸込具。
【請求項４】
前記の植毛台部と左右の周壁との間に幅の細い連結桟を設けてあり、かつ通気穴を確保してあることを特徴とする請求項１に記載の電気掃除機の隙間用吸込具。
【請求項５】
硬質材からなる楕円状または方形状の台と、その表側周縁に若干上方へ立設した周壁があり、その周壁の内側における前部より後部へ植毛台部を設けてあり、前記台と植毛台部との間は通気路となっており、その植毛台部の前後側に各凸部を設けてあり、周壁内側の各対応するところに前記凸部に対応する凹部を刻設してあり、これら凸部と凹部を連結してあり、左右の周壁と前記植毛台部との間に通気穴があり、前記全周壁の上部に弾性部を設けてあり、前記植毛台部の前部中央または、中央付近から後部まで幅の狭い硬質ブラシを設けてあり、その両側に軟質ブラシを設けてあり、かつこれら硬質および軟質ブラシは弾性部より若干突出しており、前記台の下面または台部の後部に継ぎ排気筒があることを特徴とする電気掃除機の隙間用吸込具。
【発明の詳細な説明】
【０００１】
【産業上の利用分野】
本発明は、電気掃除機に取り付けて、自動車の内部前部の運転席やその付近や家具等の溝や隙間、エアコンの吹出し口等の掃除で塵埃等を除去するために使用する電気掃除機の隙間用吸込具に関する。
【０００２】
【従来の技術】
従来は自動車の運転席等の内側は、メーター、ラジオ、エアコン等その他の沢山の部品の組み合わせからなっており、そのために部品間には溝や隙間、隙間のような吹出し口が多くあります。また、家具やその他の家具にも溝や隙間等が多くあります。そのためにこの隙間は細くて深い隙間になっており、小さな塵埃が留まることが多くありました。
これらの塵埃は特殊な形状の吸込具の付いたものを使用せず、特開平１１−１７８７５５号公報に記載のように単に円筒状のままで吸い込み掃除をしたり、吸込具の先に単に普通のブラシを取り付けて、家庭で普通に使用するような掃除機で取り除いていた。前記の単に円筒状のもので掃除をするときは、吸込口が密着せず、かつ、横から空気が漏れて入るために吸引力には限界があり、完全ではなく、隙間の奥の塵埃を完全に取り除くことができなかった。
【０００３】
また、単に吸込具の先にブラシのあるものは、隙間が細いにも関わらず、他方でブラシが隙間より幅広くあるために、ブラシが軟質毛のブラシのみのときは全体が柔らかいために奥深く所定のところまで十分に届かず、掃き出すことができないため、完全に掃除ができなかった。また硬質毛のブラシのみのブラシのときは両側のブラシが邪魔をして、これまた奥深く入らず掃き出すことができなかった。
また、これらを使用するときにブラシの周囲に隙間があり、密閉していないため十分な吸引力が得られず漏れて吸引力が弱く、塵埃を十分に吸い込むことができなかった。これらのことは家具の間の隙間やエアコンの吹出し口でも同様であった。
そのため本願発明は、電気掃除機に連結するパイプに連結する吸込具において、パイプに連結する継ぎ排気筒があるもので、台と植毛台部及び硬質ブラシおよび軟質ブラシからなり、それらのブラシは該植毛部の前部中央または中央付近から後部に幅の狭い硬質毛を、その両側に軟質毛を設けてあり、前記台の周縁に周壁を設けてあり、その全周壁の上部に弾性部を設け、かつ、植毛台部と周壁との間に通気穴を設けることにより電気掃除機の隙間用吸込具を提供することを目的としている。
【０００４】
【課題を解決しようとする手段】
本出願の請求項１の発明は、電気掃除機の隙間用吸込具において、方形状または円形状の台とその表面周囲に若干上方へ立設した周壁とがあり、この周壁の前部から後部へ厚板状の植毛台部を固着して設けてある。このとき植毛台部と左右の周壁との間には通気に支障のないように通気穴が設けてある。従って、請求項４に記載のように植毛部台部と周壁との間に通気に支障のない限り幅の細い連結桟を１個または複数設けることもある。
なお、前記の方形状の台は、広い意味で長方形状の台が含まれ、円形状の台も広い意味で楕円形状の台も含まれる。前記の周壁と植毛台部との固着は、請求項２に記載のように接着剤で固着してある。接着するときには、薬品その他で表面を処理してから接着するとより強固に固着することができる。
前記の周壁の後方または台に継ぎ排気筒を設けてある。この継ぎ排気筒は通気が外部へ漏れないように周壁に設ける。前記継ぎ排気筒の形状は掃除機のホースへ嵌るような長さで円筒状なっており、筒内が通路になっている。この継ぎ排気筒は合成樹脂で台および周壁と一体に成型することが能率的である。
【０００５】
前記植毛台部の前部中央または中央付近から後部にかけて幅の狭い硬質毛の硬質ブラシがあり、その左右両側には幅の広い軟質毛の軟質ブラシがあり、これらは同一の高さになっている。前記硬質ブラシを中央付近に設けるとは、中央の左右両側の何れかに少し寄って設けることであり、請求項３に記載のように中央よりも若干左側に寄って設けることもある。または、その右側に設けることもある。これらの硬質および軟質のブラシの植毛は、従来歯ブラシ等のブラシの植毛と同様であり、特別の方法は必要ない。
軟質ブラシでは軟らかい筆のように木材等や、自動車の合成樹脂等の硬質のものに押し当てると、容易に屈曲し変形するようになっている。その表面の塵埃を掃き出すことができるようになっている。
前記と反対に植毛台部の中央の硬質ブラシは、幅が２ないし３ミリ程度になっている。この細い幅は硬質ブラシであるため家具や自動車部品の幅の狭い隙間や、エアコンの吹出し口のような隙間や溝であっても、容易にこれら隙間等に入り塵埃を掃き出すことができるようになっている。
【０００６】
前記周壁の上には弾性部を設けてある。この弾性部は前記の植毛台部の硬質および軟質ブラシが若干突出するように、若干低く設けてある。掃除機が溝や隙間等から掃き出された塵埃を吸引するときに、そこから空気が漏れないような高さ、厚さおよび弾力性があるようになってる。掃除機を使用するときに、掃除する面に強く押し当てて外側と遮断し、吸引してもそのために弾性部が変形しても容易に漏れないないような材料であり、ある程度の厚みがあるようにする。厚さは３ｍｍ以上が望ましい。
また、材質はゴム、または合成樹脂で柔軟過ぎず、硬過ぎず、適度な弾力性になっている。
【０００７】
前記のように硬軟の両ブラシのように異質毛のブラシが組み合わされているものを、溝や隙間や、エアコンの吹出し口等のような幅の狭いところの掃除に使用するとき、中央または中央部付近の幅の狭い硬質ブラシがその隙間等に入るように使用する。これにより掃き出された両側にある塵埃を、軟質ブラシが素早く掃くととも、周囲の弾性体により密閉されているため掃除機の吸引力が弾性部がないときよいりもより一層強くなる。これにより両側の通気穴から通気路へ押されて、継ぎ排気筒の通路へ掃き出すようになっている。
このとき硬質ブラシの先端を中心としてと軟質ブラシの左右両側の端を結ぶ線は、略Ｖ字状になっている。このことは、ブラシ全体の形状をＶ字状にしたのと同様の効果になっている。
【０００８】
前記の継ぎ排気筒の形状は円筒形状になっており、後方周壁または台の裏側に取り付けてあり、通気路の塵埃が空気とともにその通路を通るようになっている。この継ぎ排気筒は台および周壁と一体に成型する方が便利である。この継ぎ排気筒の太さは掃除機のホースに継ぐために対応して嵌まる大きさになっており、掃除機の方へ塵埃が排出されるようになっている。
前記のようになっている本願の発明の電気掃除機の隙間用吸込具（以下「吸込具」という。）を掃除機に継ぎ電源を入れると硬質ブラシと掃除機の吸引力で掃き出された塵埃は、両側の軟質ブラシと吸引力で更に掃き出され、弾性部で外側と遮断してあるためて通気穴を通り下方の通気路へと送られ、継ぎ排気筒の通路およびホースを通り、掃除機へと送られるようになっている。
【０００９】
請求項５の発明は、前記周壁と植毛台部との固着は、植毛台部の前後側に各凸部を設けてあり、これに対して周壁内側の各対応するところに前記各凸部に対応する凹部を刻設してあり、これらに接着剤を塗布して嵌めて連結して固着してある。
【００１０】
【発明の実施の形態】
本願発明の実施の形態を図面の実施例を参照して説明する。
図１ないし図９は請求項１に記載の発明の実施例で、図１は上下を逆にした斜視図であり、長方形状の台１の周囲には、その外周端縁に上方へ周壁３を立設してある。電気掃除機（図なし）に接続する継ぎ排気筒８は、図１に示すように前記の周壁３における手前の幅の狭いところに取り付けてある。この継ぎ円筒８は中が通路８Ａになっており、電気掃除機のホースに継ぎ、塵埃が吹き出されるようになっている。
前記周壁３の前部から後部へ長手方向へ長方形状の植毛台部２が固着して設けてある。この両者の固着は図２に示すように当接面３０Ｄに接着剤３０Ｃを塗布し、接着する。この接着には接着する当接面３０Ｄを薬品やいわゆるサンドペーパーによりいわゆるバフイングされて表面処理をしてから、接着剤３０Ｃを塗布するとより強固に固着できる。
図１において植毛台部２と周壁３との間には請求項４に記載のように幅の細い連結桟２３が設けてある。この連結桟２３は通気穴４を仕切るようして設けてある。これは通気には支障がないようになっている。これにより植毛台部２と周壁３との連結は一層強固なものになっている。
【００１１】
この植毛台部２の前部中央から長手方向の後方へと硬質ブラシ５を設けてある。植毛台部２と周壁３との間には図１および図３に示すように通気穴４がある。前記植毛台部２には中央に図１および７に示すように内側は硬質ブラシ５で、その外側の左右両側は軟質ブラシ６となっている。そのため硬質ブラシ５は弾力性が強くなっている。
また、周壁３の下部には図１、７、８および９にはゴムまたは合成樹脂等からなる厚めの弾性部７を貼着してある。そのため図９に示すようにこの吸込具Ｓを自動車の運転席の横にあるメーター台１２とメーター９との間の溝１０などの被掃除面に当てると弾性部７がこれらに密着し、塵埃１４を吸引してもこれにより変形し漏洩する恐れがない。
この弾性部７の大きさは、前記図１、７、８、および９に示すように硬軟両ブラシ５および６よりも若干低くなっている。そのため前記硬軟両ブラシ５および６は前記弾性部７よりも若干突出している。
【００１２】
このような吸込具Ｓを図４、６および９に示すような自動車の内部の運転席横等のメーター台１２とメーター９、およびラジオ１１との間の溝１０に使用したときは図６および１０に示すようになる。すなわち、硬質ブラシ５は図７および８に示すように中央部の硬質ブラシ５なっている。この硬質ブラシ５は、幅が狭く硬質のため硬質ブラシの先端５Ｔが溝１０へ容易に入り易くなっている。この吸込具Ｓを押すことにより弾性部７が圧縮され小さくなる。
そのため硬質ブラシ５は溝１０へその分だけ入り、前後または上下に動かすことにより、塵埃１４を除去する。前記において、硬質ブラシ５と軟質ブラシ６があるため柔軟性があり、溝１０内を動かし易くなっている。これと同時に弾性部７がメーター９およびメーター類台９Ａに密着しているため、塵埃１４が通気穴４を通り、通気路１３へと速やかに送られて、次に継ぎ排気筒８の通路８Ａを通り最後に掃除機へと送られるようになっている。
前記のことは運転席の前部のメーター９やエアコン１７その他の部品等においても同様になっている。即ち、図４に示すように運転席や助手席にあるエアコン１７の周囲の溝１０や、エアコン１７の吹出し口１７Ａ、それらの前部にあるインストルメントパネル１８とフロントガラス１９との間の吹出し口１７の塵埃の掃除も同様にするようになっている。このとき同時にインストルメントパネル１８も掃除をすることができる。
【００１３】
前記図９において溝１０の塵埃１４の掃除に使用した場合に、硬質ブラシの先端５Ｔと、向かって左側軟質ブラシ先端６Ａおよび右側軟質ブラシ先端６Ｂとは、ほぼＶ字状になっている。そのため硬質ブラシの先端５Ｔを中心として軟質ブラシを左側軟質ブラシ６Ａと右側軟質ブラシ先端６Ｂのように組み合わせてＶ字状に形成したのと同様の効果になっている。
【００１４】
図５は棚１６における上部１６Ａとその下方にある左右の扉１５、１５との間の隙間１０Ａ、および前記左右の扉１５、１５間の隙間１０Ａにある塵埃１４を示してある。これは前記の図４、６、および９において説明したのと同様の方法により、本願吸込具Ｓにより、溝１０内の塵埃１４を吸い込むことにより掃除するようになっている。そのため以下詳細は省略します。
【００１５】
図１０は請求項３に記載の実施例で、硬質ブラシ５の位置を中央から左側に少し移動した形になっている。その他の軟質ブラシ６は前記の実施例と同様になっている。その作用および効果は同様になっている。その他は前記の実施例と同様になっているため省略します。
【００１６】
図１１の実施例は裏表逆になった台１全体が楕円形状になっていることと、継ぎ排気筒８を台１の表側すなわち下面に設けたものになっている。そのため塵埃１４はほぼ中心に集まり、ここから掃除機（図示せず）の方へ排気されるようになっている。その他は前記の実施例と同様になっているため省略します。なお、本願発明の図は説明の都合上で一部使用状態と反対に上下逆の上向きになっていることがあります。
【００１７】
図１２、および１３は請求項５に記載の発明の実施例になっている。この発明は周壁３と植毛台部２の接着において、前記の請求項１の発明と異なるようになっている。
すなわち植毛台部２の前後に凸部２０Ａを各々設け、周壁３の内側のこれに対応する箇所凹部３０Ｂを設けてある。そしてこれらを組み合わせたときに当接する当接面３０Ｄ、およびその他の当接面３０Ｄも含めて、接着剤３０Ｃを塗布して組み合わせるようになっている。
弾性部７は全体を同じ幅にしているので、その一部はこの部分で、植毛台部２にも接着するようになっている。
そのため前記の請求項１に記載の発明よりも凹部と凸部があり、より強固な接着になっている。その他は前記請求項の発明と同様になっているため省略します。
【００１８】
本出願の発明は以上のようになっているが、前記請求項に記載の範囲に反しない限り、他の実施例についても本願発明に含まれる。
【００１９】
【発明の効果】
この出願の請求項１に記載の発明は、前記のように吸込具において、方形状または円形状の板状の台と、その表面側の周囲に若干上方へ立設した周壁とがあり、この周壁の前部から後部へ板状の植毛台部を固着し設けてある。この植毛台部と左右の周壁との間には通気穴がある。また、通気穴には通気に支障のない細幅の連結桟を設けることがある。これにより植毛台部と周壁とはより強固な構成となる。
前記植毛台部と下方の台の間は空間になっており、通気路がある。そのため通気穴を通る空気は容易に通気路を通るようになっている。
【００２０】
前記周壁の上には弾性のあるゴム、または合成樹脂からなる厚みのある弾性部を接着して設けてある。そのため家具や、自動車のメーター、およびラジオやその周囲の隙間や、エアコンの吹出し口等の隙間のように幅が狭くなっているところ、あるいは溝に密着して外部と遮断し密閉して、吸引力が更に強くなり、掃除が簡単容易になる。
【００２１】
前記植毛台部の前部中央、または中央部付近から後部へ幅の狭い硬質毛からなる硬質ブラシを設けてある。前記硬質ブラシの左右両側に軟質毛からなる軟質ブラシを設けてあり、かつ、前記弾性部よりも若干突出するようになっている。そのため硬質ブラシは家具や自動車内の溝や隙間に容易に入りるようになっている。
この吸込具を付けて電気掃除機を電池による電源や、車内や外部の電源と連結して使用するときに、前記硬質ブラシはこれら溝、隙間、およびエアコンの吹出し口等の内側に沿って前後に動かすときは掃除機の吸引力と相まって塵埃を素早く掃き出し、その両側のより柔軟な幅広の軟質ブラシで掃いて、更に前記吸引力と相まって通気穴へ掃き出すようになっており、通気路、通路を次々と通り、掃除機へと送られる。そのため公知例のように、ブラシと吸込具の先が離れていないため、吸い込みが完全になっている。また吸込具の先端がブラシや弾性のあるゴムや合成樹脂であるためこれらの接触面を傷など付けて損傷して外観を損なうことがない。
【００２２】
前記のようにこの硬質ブラシの先端を溝や隙間、あるいはエアコンの吹出し口に入れて掃除するときは、弾性部を多少押して使用するため硬質ブラシの先端と、左側軟質ブラシの先端および右端軟質ブラシ先端とは全体としてほぼＶ字状になる。そのためこれら硬質ブラシと軟質ブラシの各先端がＶ字状になっているのと同様に硬質ブラシは塵埃を掃き出す効果がある。
なお、前記のように硬質ブラシは植毛台部の中央のときでも、あるいはその若干左側または右側であっても、外見と感触により硬質ブラシと溝などを初めに合わせれば使用するには全く支障がないようになっている。
【００２３】
前記継ぎ排気筒は円筒状で周壁の後方、またはブラシ等のある台の裏側に設けてある。この円筒状の形状は掃除機からのホースにを簡単に継ぐようになっている。そのため前記通気路を通った塵埃は、この継ぎ排気筒の通路へ入り容易に掃除機へ送られるようになっている。
【００２４】
請求項５に記載の発明は、前記吸込具において植毛台部前後側に各凸部を設けてあり、周壁内側の各対応するところに前記凸部に対応する凹部を刻設してあり、これら全体の当接するころに接着剤を塗布して固着し連結てある。そのため前記請求項１の発明よりもより強固に連結してある。その他は前記の請求項と同様になっているため省略します。
本願の前記各請求項に記載の吸込具の発明は、従来容易に除去できなかった溝や隙間、あるいは自動車内のエアコンの吹出し口等の塵埃も、硬質ブラシがこれらを容易に掃き出し、掃除機の吸引力とともに軟質ブラシで掃いて通気穴、通気路、および継ぎ排気筒の通路等の内部を素早く通過するようになっている。そのため車内や家具、あるいは溝や隙間等や普通の掃除機で除去できない箇所は、何時も清潔に保たれ気持ちよく、健康で快適な生活を送ることができる優れた発明になっている。
【図面の簡単な説明】
【図１】請求項１に記載の吸込具の一部切り欠きした上下逆の実施例の斜視図である。
【図２】請求項１に記載の発明の周壁と植毛台部との接着についての分解斜視図である。
【図３】図１における通気穴の近くの一部拡大平面図である。
【図４】自動車の運転席および横のメーター類等の一部斜視図である。
【図５】家具用棚の扉部分の一部拡大平面図である。
【図６】図４における一部拡大平面図である。
【図７】図１におけるＡ−Ｂ線による使用時の縦断面図である。
【図８】図１におけるＣ−Ｄ線による縦断面図である。
【図９】請求項１に記載の吸込具を使用したときの図１におけるＡ−Ｂ線による一部拡大縦断端面図である。
【図１０】硬質ブラシ中央より若干左側に設けたときの一部拡大縦断面図である。
【図１１】請求項１に記載の第３実施例で継ぎ排気筒を台の裏側に設けた斜視図である。
【図１２】請求項５に記載の発明の実施例で植毛台部における凸部等の一部拡大斜視図である。
【図１３】請求項５に記載の発明の周壁における凹溝とこれに対応する凸部および植毛台部等の分解一部拡大斜視図である。
【符号の説明】
Ｓ・・・吸込具
１・・・台
２・・・植毛台部
３・・・周壁
４・・・通気穴
５・・・硬質ブラシ
５Ｔ・・・硬質ブラシの先端
６・・・軟質ブラシ
６Ａ・・・左側軟質ブラシ先端
６Ｂ・・・右側軟質ブラシ先端
７・・・弾性部
８・・・継ぎ排気筒
８Ａ・・・通路
９・・・メーター
９Ａ・・・メーター類台
１０・・・溝
１０Ａ・・・隙間
１１・・・ラジオ
１２・・・メーター台
１３・・・通気路
１４・・・塵埃
１５・・・扉
１６・・・棚
１６Ａ・・・上部
１７・・・エアコン
１７Ａ・・・吹出し口
１８・・・インストルメントパネル
１９・・・フロントガラス
２０Ａ・・・凸部
２３・・・連結桟
３０Ｂ・・・凹部
３０Ｃ・・・接着剤
３０Ｄ・・・当接面
【図１】
2004081776.tif 000003
【図２】
2004081776.tif 000004
【図３】
2004081776.tif 000005
【図４】
2004081776.tif 000006
【図５】
2004081776.tif 000007
【図６】
2004081776.tif 000008
【図７】
2004081776.tif 000009
【図８】
2004081776.tif 000010
【図９】
2004081776.tif 000011
【図１０】
2004081776.tif 000012
【図１１】
2004081776.tif 000013
【図１２】
2004081776.tif 000014
【図１３】
2004081776.tif 000015